(57)【要約】【課題】天板を左横開き、右横開き及び縦開きに組み立て可能で、しかも天板の起伏動作が付勢手段の取付位置に影響を受けないベッドを提供する。【解決手段】前面板１、左右側面板２，３及び後面板４により構成された台枠５と、この台枠５の上面にリンク機構６を介して起伏自在に設けられた天板７と、台枠５と天板７間に介在させた台枠側ガススプリング１４と、台枠５内部を第１の収納部３１,６１,８１と第２の収納部３２,６２,８２に仕切る仕切部材３０,６０,８０と、仕切部材３０,６０,８０と天板７間に介在させた仕切側ガススプリング４６とを備え、仕切側ガススプリング４６の付勢力を、台枠側ガススプリング１４の付勢力よりも大きく設定したことにより、各ガススプリング１４,４６の取付位置に影響を受けない天板７の滑らかな起伏動作を実現させる。【選択図】図２
2011024818.tif 000002
【特許請求の範囲】
【請求項１】
天板を左横開き、右横開きさらには縦開きに組み立て可能とするベッドであって、四方に配置された前面板、左右側面板及び後面板により構成された台枠と、この台枠の上面にリンク機構を介して起伏自在に設けられた前記天板と、前記前面板、左右側面板及び後面板のいずれか一方と前記天板間に介在させた台枠側付勢手段と、前記台枠内部において選択された前記前面板、左右側面板及び後面板のいずれか一方と平行に配置され、前記台枠内部を第１の収納部と第２の収納部に仕切る仕切部材と、この仕切部材と前記天板間に介在させた仕切側付勢手段とを備え、前記仕切側付勢手段と前記台枠側付勢手段に作用する前記天板からの圧力を均等化すべく、前記仕切側付勢手段の付勢力を、前記台枠側付勢手段の付勢力よりも大きく設定したことを特徴とするベッド。
【請求項２】
四方に配置された前面板、左右側面板及び後面板により構成された台枠と、この台枠の上面にリンク機構を介して起伏自在に設けられた天板とを備え、前記リンク機構は前記台枠に連結させる台枠側連結部材と、前記天板に連結させる台枠側取付け部材と、前記台枠側連結部材と前記台枠側取付け部材とを連結する台枠側リンク部材を備え、かつ前記前面板、左右側面板及び後面板に前記台枠側連結部材を選択的に連結する第１の台枠側連結受け部をそれぞれ設けると共に、前記天板の前辺部側、左右側辺部側及び後辺部側に前記台枠側取付け部材を選択的に連結する第２の台枠側連結受け部をそれぞれ設け、前記台枠と前記天板間に台枠側付勢手段を介在させ、前記前面板、左右側面板及び後面板に、前記台枠側付勢手段の基端を連結させる台枠側留め具を選択的に取付ける第３の台枠側連結受け部をそれぞれ設け、前記リンク機構の取付け部材に前記台枠側付勢手段の先端を連結する第４の台枠側連結受け部を設けたベッドであって、
前記台枠内部には、選択された前記前面板、左右側面板及び後面板のいずれか一方と平行に配置され、前記台枠内部を第１の収納部と第２の収納部に仕切る仕切部材を備え、前記リンク機構は前記仕切部材に連結させる仕切側連結部材と、前記天板に連結させる仕切側取付け部材と、前記仕切側連結部材と前記仕切側取付け部材とを連結する仕切側リンク部材を備え、かつ前記仕切部材に前記仕切側連結部材を連結する第１の仕切側連結受け部を設けると共に、前記天板に前記仕切側取付け部材を連結する第２の仕切側連結受け部を設け、前記仕切部材と前記天板間に仕切側付勢手段を介在させ、前記仕切部材に、前記仕切側付勢手段の基端を連結させる仕切側留め具を取付ける第３の仕切側連結受け部を設け、前記仕切側リンク機構の仕切側取付け部材に前記仕切側付勢手段の先端を連結する第４の仕切側連結受け部を設け、前記仕切側付勢手段と前記台枠側付勢手段に作用する前記天板からの圧力を均等化すべく、前記仕切側付勢手段の付勢力を、前記台枠側付勢手段の付勢力よりも大きく設定されたことを特徴とするベッド。
【請求項３】
前記第２の収納部を、引出し体を出し入れ自在に収容する引出し収納部としたことを特徴とする請求項１又は２に記載のベッド。
【請求項４】
前記台枠側付勢手段及び前記仕切側付勢手段がガススプリングであることを特徴とする請求項１〜３のいずれか１項に記載のベッド。
【発明の詳細な説明】
【技術分野】
【０００１】
本発明は、ベッドの台枠内を収納部として利用するため、天板を開閉可能に構成したベッドに関する。
【背景技術】
【０００２】
従来、ベッドの台枠内を収納部として利用するため、天板を開閉可能に構成したベッドについては、天板の横開きの左右、縦開きを選択し、組み立てることができるものがあった（特許文献１）。
【０００３】
このようなベッドは、台枠の上面にリンク機構を介して起伏自在に設けられた天板とを備える。リンク機構は台枠に連結させる連結部材と、天板に連結させる取付け部材と、連結部材と取付け部材を連結するリンク部材を備える。前面板、左右側面板及び後面板に前記連結部材を選択的に連結する第１の連結受け部をそれぞれ設け、第１の連結受け部を前面板、左右側面板及び後面板のいずれかに固定する。天板の前辺部側、左右側辺部側及び後辺部側に前記取付け部材を選択的に連結する第２の連結受け部をそれぞれ設け、取付け部材を天板の前辺部側、左右側辺部側及び後辺部側のいずれかに固定したことにより、天板を左横開き、右横開きさらには縦開きに組み立て可能としていた。
【先行技術文献】
【特許文献】
【０００４】
【特許文献１】特開２００７−２６０１５３号公報
【発明の概要】
【発明が解決しようとする課題】
【０００５】
特許文献１にあるベッドは、前記台枠と前記天板間に一対の付勢手段を介在させ天板の起伏動作に付勢力を付与していたが、各付勢手段と天板の重心位置との距離によって、各付勢手段への天板からの荷重に差が生じた場合に、付勢力の同じ付勢手段を一対として使用すると、天板からの荷重が大きい方の付勢手段と荷重の小さい方の付勢手段とでは、付勢動作に差が生じてしまい、天板の起伏動作に影響を及ぼす、という問題があった。
【０００６】
そこで、本発明は、上記課題を解消するものであり、天板を左横開き、右横開き及び縦開きに組み立て可能で、しかも天板の起伏動作が付勢手段の取付位置に影響を受けないベッドを提供することを目的とする。
【課題を解決するための手段】
【０００７】
請求項１の発明は、天板を左横開き、右横開きさらには縦開きに組み立て可能とするベッドであって、四方に配置された前面板、左右側面板及び後面板により構成された台枠と、この台枠の上面にリンク機構を介して起伏自在に設けられた前記天板と、前記前面板、左右側面板及び後面板のいずれか一方と前記天板間に介在させた台枠側付勢手段と、前記台枠内部において選択された前記前面板、左右側面板及び後面板のいずれか一方と平行に配置され、前記台枠内部を第１の収納部と第２の収納部に仕切る仕切部材と、この仕切部材と前記天板間に介在させた仕切側付勢手段とを備え、前記天板から前記仕切側付勢手段及び前記台枠側付勢手段にかかる荷重に応じて、前記仕切側付勢手段の付勢力および前記台枠側付勢手段の付勢力を個別に設定したことにより、前記仕切側付勢手段の付勢力を、前記台枠側付勢手段の付勢力よりも大きく設定したことを特徴とする。
【０００８】
請求項２の発明は、四方に配置された前面板、左右側面板及び後面板により構成された台枠と、この台枠の上面にリンク機構を介して起伏自在に設けられた天板とを備え、前記リンク機構は前記台枠に連結させる台枠側連結部材と、前記天板に連結させる台枠側取付け部材と、前記台枠側連結部材と前記台枠側取付け部材とを連結する台枠側リンク部材を備え、かつ前記前面板、左右側面板及び後面板に前記台枠側連結部材を選択的に連結する第１の台枠側連結受け部をそれぞれ設けると共に、前記天板の前辺部側、左右側辺部側及び後辺部側に前記台枠側取付け部材を選択的に連結する第２の台枠側連結受け部をそれぞれ設け、前記台枠と前記天板間に台枠側付勢手段を介在させ、前記前面板、左右側面板及び後面板に、前記台枠側付勢手段の基端を連結させる台枠側留め具を選択的に取付ける第３の台枠側連結受け部をそれぞれ設け、前記リンク機構の取付け部材に前記台枠側付勢手段の先端を連結する第４の台枠側連結受け部を設けたベッドであって、前記台枠内部には、選択された前記前面板、左右側面板及び後面板のいずれか一方と平行に配置され、前記台枠内部を第１の収納部と第２の収納部に仕切る仕切部材を備え、前記リンク機構は前記仕切部材に連結させる仕切側連結部材と、前記天板に連結させる仕切側取付け部材と、前記仕切側連結部材と前記仕切側取付け部材とを連結する仕切側リンク部材を備え、かつ前記仕切部材に前記仕切側連結部材を連結する第１の仕切側連結受け部を設けると共に、前記天板に前記仕切側取付け部材を連結する第２の仕切側連結受け部を設け、前記仕切部材と前記天板間に仕切側付勢手段を介在させ、前記仕切部材に、前記仕切側付勢手段の基端を連結させる仕切側留め具を取付ける第３の仕切側連結受け部を設け、前記仕切側リンク機構の仕切側取付け部材に前記仕切側付勢手段の先端を連結する第４の仕切側連結受け部を設け、前記天板から前記仕切側付勢手段及び前記台枠側付勢手段にかかる荷重に応じて、前記仕切側付勢手段の付勢力および前記台枠側付勢手段の付勢力を個別に設定したことにより、前記仕切側付勢手段の付勢力を、前記台枠側付勢手段の付勢力よりも大きく設定されたことを特徴とする。
【０００９】
請求項３の発明は、前記第２の収納部を、引出し体を出し入れ自在に収容する引出し収納部としたことを特徴とする。
【００１０】
請求項４の発明は、前記台枠側付勢手段及び前記仕切側付勢手段がガススプリングであることを特徴とする。
【発明の効果】
【００１１】
請求項１の発明によれば、天板の重心位置に近いほど集中する天板からの荷重に対応させて、天板の重心位置に近い側である仕切側付勢手段の付勢力を、天板の重心位置から遠い側である台枠側付勢手段の付勢力よりも大きく設定して、各付勢手段の付勢力を調整することにより、仕切側付勢手段の付勢力不足による天板の重心位置に近い側を支持する仕切側リンク部材付近の落ち込みによる天板の傾きや起伏動作の遅れを防止する。これによって、各付勢手段の取付位置に影響を受けない天板の滑らかな起伏動作を実現させると共に、リンク機構及び各付勢手段の消耗を防いで製品寿命の低下も防ぐことが可能となる。
【００１２】
請求項２の発明によれば、天板の重心位置に近いほど集中する天板からの荷重に対応させて、天板の重心位置に近い側である仕切側付勢手段の付勢力を、天板の重心位置から遠い側である台枠側付勢手段の付勢力よりも大きく設定して、各付勢手段の付勢力を調整することにより、仕切側付勢手段の付勢力不足による天板の重心位置に近い側を支持する仕切側リンク部材付近の落ち込みによる天板の傾きや起伏動作の遅れを防止する。これによって、各付勢手段の取付位置に影響を受けない天板の滑らかな起伏動作を実現させると共に、リンク機構及び各付勢手段の消耗を防いで製品寿命の低下も防ぐことが可能となる。
【００１３】
請求項３の発明によれば、引出し体を出し入れ自在にする収納部を備えることにより、使い勝手のよい効率的な収納が可能となる。
【００１４】
請求項４の発明によれば、付勢動作を静かで滑らかなものとすることで、天板の起伏動作を静粛性に優れたものとすることができる。
【図面の簡単な説明】
【００１５】
【図１】本発明の実施例１のベッドを横開きベッドとして組み立てた場合の天板を閉じた状態の斜視図である。
【図２】同左開き状態の斜視図である。
【図３】同右開き状態の斜視図である。
【図４】本発明の実施例１のベッドの台枠側リンク機構まわりを示す分解斜視図である。
【図５】同留め具の分解斜視図である。
【図６】同仕切側リンク機構まわりを示す分解斜視図である。
【図７】同仕切側留め具の分解斜視図である。
【図８】同天板の底面図である。
【図９】本発明の実施例１のベッドを縦開きベッドとして組み立てた場合の天板を閉じた状態の斜視図である。
【図１０】同縦開き状態の斜視図である。
【図１１】本発明の実施例１のベッドを図９とは別な縦開きベッドとして組み立てた場合の縦開き状態の斜視図である。
【図１２】天板を閉じた状態の台枠側リンク機構を示す側面図である。
【図１３】天板を閉じた状態の仕切側リンク機構を示す側面図である。
【図１４】図２において天板を閉じた状態の天板付近の側面図である。
【図１５】図３において天板を閉じた状態の天板付近の側面図である。
【図１６】図１０において天板を閉じた状態の天板付近の側面図である。
【図１７】図１１において天板を閉じた状態の天板付近の側面図である。
【発明を実施するための形態】
【００１６】
以下、本発明における実施の形態について、添付図面を参照しながら説明する。尚、以下に説明する実施の形態は、特許請求の範囲に記載された本発明の内容を限定するものではない。また、以下に説明される構成の全てが、本発明の必須要件であるとは限らない。
【実施例１】
【００１７】
図１〜図１７は本発明のベッドの一実施例を示しており、図１〜図３に左右側面板のどちらか一方をヒンジ側として天板を起こして開く横開きのベッドを示す。ベッドは、四方に配置された前面板１、左右側面板２、３及び後面板４により構成された台枠５と、この台枠５の上面にリンク機構６を介して起伏自在に設けられた天板７とを備えている。前記リンク機構６は、台枠５と天板７とを連結させる台枠側リンク機構６ａとして台枠５に連結させる横長な連結部材８と、人体が直接的に支持される床板などとも称せられる天板７に連結させる横長な取付け部材９と、連結部材８の長手方向一側と取付け部材９の長手方向一側とを連結する第１のリンク部材１０と、連結部材８の長手方向他側と前記取付け部材９の長手方向他側とを連結させる第２のリンク部材１１を備えている。そして、連結部材８と取付け部材９と第１のリンク部材１０と第２のリンク部材１１を軸１０ａによって回動自在に連結して、天板７を起伏自在に設ける四辺形の台枠側リンク機構６ａを形成している。
【００１８】
そして、前記前面板１、左右側面板２、３には、連結部材８を選択的に連結することができる第１の連結受け部１２を予め設けている。この第１の連結受け部１２は、連結部材８を前面板１、左右側面板２、３に選択的に固定するボルトや各種ストッパーなどの第１の固定具８ａを固定のために受け入れる雌螺子部材や孔によって形成され、内側に開口している。尚、第１の固定具８ａは連結部材８における長さ方向の両側に貫通して配置されるようになっている。
【００１９】
さらに、前記天板７の前辺部７ａ側、左右側辺部７ｃ,７ｄ側には、前記取付け部材９を選択的に連結することができる第２の連結受け部１３を予め設けている。この第２の連結受け部１３は、取付け部材９を天板７の前辺部側、左右側辺部側に選択的に固定するボルトや各種ストッパーなどの第２の固定具９ａを固定のために受け入れる雌螺子部材や孔によって形成されるものであり、天板７の下面に開口して設けられている。尚、第２の固定具９ａは取付け部材９における長さ方向の中央及び両側に貫通して配置されるようになっている。
【００２０】
そして、台枠５と天板７間にガスシリンダ、ガス圧シリンダ、又はガス圧スプリング等とも称せられる台枠側ガススプリング１４を介在させる。これはガス（図示せず）を封入したシリンダ１４ａと、このシリンダ１４ａにガス圧を受けた状態で摺動自在に設けられるロッド１４ｂからなる。そして前面板１、左右側面板２、３に、台枠側ガススプリング１４の基端１５を選択的に着脱可能に連結することができる回動連結用の金具である留め具１６を取付ける第３の連結受け部１７を予め設ける。留め具１６には台枠側ガススプリング１４の基端１５を回動自在に連結する軸１６ｂが内側に横方向に向けて突設している。この軸１６ｂは留め具１６の上下方向に複数形成した貫通孔によって形成された取り付け部１６ｃのうちの一つに選択的に取り付けられるようになっている。これは台枠側ガススプリング１４の取付位置に対応するためである。
【００２１】
第３の連結受け部１７は、留め具１６を前面板１、左右側面板２、３に選択的に固定するボルトや各種ストッパーなどの第３の固定具１６ａを固定のために受け入れる雌螺子部材や孔によって形成されるものであり、内側に開口して設けられている。また取付け部材９の長手方向の突出した先端側に台枠側ガススプリング１４の先端１８が着脱可能に連結することができる第４の連結受け部１９を設けている。尚、第３の固定具１６ａは留め具１６の四方に貫通して配置されるようになっている。
【００２２】
さらに、前面板１の前面にはヘッドボード２０を設けている。前面板１、左右側面板２，３は取付け金具（図示せず）により連結されてベッドの台枠５を構成する。また、天板７の上にはマットレス２５を設ける。さらに、図中２６はそれぞれに設けられる連結用のピンであり、２７は底板である。
【００２３】
以下、本発明の特徴的構成を記載する。台枠５内部の左右側面２,３板間には、前面板１及び後面板４と平行に配置された板状の仕切部材３０が配置されており、この仕切部材３０によって台枠５内部の前面板１側を第１の収納部３１とし、後面板４側を第２の収納部３２として仕切られている。ここで前面板１と後面板４の間隔をＳ１（ここでは、約１９５０ｍｍ）とし、仕切部材３０と後面板４の間隔をＳ２（ここでは、約６００〜８００ｍｍ）として、Ｓ２は、Ｓ１の約３０〜４０％の大きさとして設定されている。
【００２４】
ここで仕切部材３０、後面板４及び左右側面板２,３によって仕切られた第２の収納部３２の上面は、板状の上面閉塞部材３３によって閉塞されており、この上面閉塞部材３３は仕切部材３０と一体に設けられている。
【００２５】
台枠５の後面には、それぞれ矩形状に形成された第１の後面開口部３４と第２の後面開口部３５が水平方向に並設されており、第１の後面開口部３４は第２の後面開口部３５よりも幅広に設定されている。
【００２６】
そして、第２の収納部３２は、上面に物品の出し入れを行う開口部を備えた有底箱筒状の第１の引出し体３６及び第２の引出し体３７をそれぞれ第１の後面開口部３４と第２の後面開口部３５より出し入れ自在に収納するものである。また、第１の後面開口部３４と第２の後面開口部３５の幅寸法の関係に対応して、第１の引出し体３６は第２の引出し体３７よりも幅広に設定されている。さらに、第１の引出し体３６及び第２の引出し体３７の各前面板３８,３９は、前述の背面板４を構成するものである。
【００２７】
リンク機構６は、仕切部材３０と天板７とを連結させる仕切側リンク機構６ｂとして仕切部材３０に連結させる横長な仕切側連結部材４０と、天板７に連結させる横長な仕切側取付け部材４１と、仕切側連結部材４０の長手方向一側と仕切側取付け部材４１の長手方向一側とを連結する第１の仕切側リンク部材４２と、仕切側連結部材４０の長手方向他側と前記仕切側取付け部材４１の長手方向他側とを連結させる第２の仕切側リンク部材４３を備えている。そして、仕切側連結部材４０と仕切側取付け部材４１と第１の仕切側リンク部材４２と第２の仕切側リンク部材４３を仕切側軸４２ａによって回動自在に連結して、天板７を起伏自在に設ける四辺形の仕切側リンク機構６ｂを形成している。
【００２８】
そして、前記仕切部材３０には、仕切側連結部材４０を選択的に連結することができる第１の仕切側連結受け部４４を予め設けている。この第１の仕切側連結受け部４４は、仕切側連結部材４０を仕切部材３０に選択的に固定するボルトや各種ストッパーなどの第１の仕切側固定具４０ａを固定のために受け入れる雌螺子部材や孔によって形成され、内側に開口している。尚、第１の仕切側固定具４０ａは仕切側連結部材４０における長さ方向の両側に貫通して配置されるようになっている。
【００２９】
さらに、前記天板７の左右側辺部側及び後辺部側には、前記仕切側取付け部材４１を選択的に連結することができる第２の仕切側連結受け部４５を予め設けている。この第２の仕切側連結受け部４５は、仕切側取付け部材４１を天板７の左右側辺部側後辺部側に選択的に固定するボルトや各種ストッパーなどの第２の仕切側固定具４１ａを固定のために受け入れる雌螺子部材や孔によって形成されるものであり、天板７の下面に開口して設けられている。尚、第２の仕切側固定具４１ａは仕切側取付け部材４１における長さ方向の中央及び両側に貫通して配置されるようになっている。
【００３０】
そして、仕切部材３０と天板７間にガスシリンダ、ガス圧シリンダ、又はガス圧スプリング等とも称せられる仕切側ガススプリング４６を介在させる。これはガス（図示せず）を封入したシリンダ４６ａと、このシリンダ４６ａにガス圧を受けた状態で摺動自在に設けられるロッド４６ｂからなる。そして仕切部材３０に、仕切側ガススプリング４６の基端４７を選択的に着脱可能に連結することができる回動連結用の金具である仕切側留め具４８を取付ける第３の仕切側連結受け部４９を予め設ける。仕切側留め具４８には仕切側ガススプリング４６の基端４７を回動自在に連結する軸４８ｂが内側に横方向に向けて突設している。この軸４８ｂは仕切側留め具４８の上下方向に複数形成した貫通孔によって形成された仕切側取り付け部４８ｃのうちの一つに選択的に取り付けられるようになっている。これは仕切側ガススプリング４６の取付位置に対応するためである。ここで、仕切側リンク機構６ｂは、台枠側リンク機構６ａよりも天板７の重心位置Ｇに近い側として天板７に連結されるため、そのため、仕切側ガススプリング４６のシリンダ４６ａの直径Ｄ３及びロッド４６ｂの直径Ｄ４は、それぞれ台枠側ガススプリング４６のシリンダ１４ａの直径Ｄ１及びロッド１４ｂの直径Ｄ２より大きく設定されており（Ｄ３＞Ｄ１,Ｄ４＞Ｄ２）、それに伴って、仕切側ガススプリング４６の付勢力（反力Ｒ１）は台枠側ガススプリング１４の付勢力（反力Ｒ２）よりも大きく設定されている。
【００３１】
第３の連結受け部１７は、仕切側留め具４８を仕切部材３０に選択的に固定するボルトや各種ストッパーなどの第３の仕切側固定具４８ａを固定のために受け入れる雌螺子部材や孔によって形成されるものであり、内側に開口して設けられている。また仕切側取付け部材４１の長手方向の突出した先端側に仕切側ガススプリング４６の先端５０が着脱可能に連結することができる第４の仕切側連結受け部５１を設けている。尚、第３の仕切側固定具４８ａは仕切側留め具４８の四方に貫通して配置されるようになっている。
【００３２】
さらに詳述すると、前面板１は長方形の形状をしており、左側面板２、右側面板３は前面板１より長い長方形の形状をしており、前面板１側に固定する。後面板４は前面板１と同様の長方形の形状をしており、左側面板２、右側面板３の後部が固定する。
【００３３】
そして、前面板１の長手方向の一側（右側）に前面板一側用の第１の連結受け部１２ａ、前面板１の長手方向の他側（左側）に前面板他側用の第１の連結受け部１２ｂ、左側面板２の長手方向の一側（後側）に左側面板一側用の第１の連結受け部１２ｃ、右側面板３の長手方向の他側（後側）に右側面板一側用の第１の連結受け部１２ｄが設けられている。また、仕切部材３０の長手方向の一側（右側）に仕切部材一側用の第１の仕切側連結受け部４４ａ、さらに仕切部材３０の長手方向の他側（左側）に仕切部材他側用の第１の仕切側連結受け部４４ｂが設けられている。
【００３４】
図８に示すように天板７は、台枠５に蓋をするように覆うように設けられ、平面視長手方向の寸法を長さＬとし、平面視短手方向の寸法を幅Ｂ（Ｂ＜Ｌ）とした長方形状の板体からなる。そして、天板７の前辺部７ａ側の長手方向の一側（右側）に前辺部一側用の第２の連結受け部１３ａ、天板７の前辺部７ａ側の長手方向の他側（左側）に前辺部他側用の第２の連結受け部１３ｂ、天板７の左側辺部７ｂに左側辺部用の第２の連結受け部１３ｃ、天板７の右側辺部７ｃに右側辺部用の第２の連結受け部１３ｄが設けられている。また天板７の後辺部７ｄの長手方向の一側（右側）には、後辺部一側用の第２の仕切側連結受け部４５ａ、天板７の後辺部７ｄの長手方向の他側（左側）に後辺部他側用の第２の仕切側連結受け部４５ｂ、前述の天板７の左側辺部７ｂに設けた第２の連結受け部１３ｃの内側には左側辺部用の第２の仕切側連結受け部４５ｃ、前述の天板７の右側辺部７ｃに設けた第２の連結受け部１３ｄの内側には右側辺部用の第２の仕切側連結受け部４５ｄが設けられている。
【００３５】
さらに、第３の連結受け部１７は、第１の連結受け部１２に対応して第２のリンク部材１１側で該第１の連結受け部１２の近傍にそれぞれ設けられるものであり、前面板１の長手方向の一側（右側）に前面板一側用の第３の連結受け部１７ａ、前面板１の長手方向の他側（左側）に前面板他側用の第３の連結受け部１７ｂ、左側面板２の長手方向の一側（後側）に左側面板一側用の第３の連結受け部１７ｃ、右側面板３の長手方向の他側（後側）に右側面板一側用の第３の連結受け部１７ｄが設けられている。
【００３６】
また第３の仕切側連結受け部４９は、第１の仕切側連結受け部４４に対応して第２の仕切側リンク部材４３側で該第１の仕切側連結受け部４４の近傍にそれぞれ設けられるものであり、仕切部材３０の長手方向の一側（右側）に仕切部材一側用の第３の仕切側連結受け部４９ａ、さらに仕切部材３０の長手方向の他側（左側）に仕切部材他側用の第３の仕切側連結受け部４９ｂが設けられている。
【００３７】
その他にも、前記台枠側リンク機構６ａを形成する連結部材８、第１のリンク部材１０、第２のリンク部材１１、そして仕切側リンク機構６ｂを形成する仕切側連結部材４０、第１の仕切側リンク部材４２、第２の仕切側リンク部材４３を覆う金具カバー２４をそれぞれ備えている。
【００３８】
次に、図２に示す右側面板３側をヒンジ側として天板７を起こして開く左横開きのベッドの組み立て方について説明する。この場合は前後に一対設けられるリンク機構６のうちの前側の台枠側リンク機構６ａの連結部材８を前面板一側用の第１の連結受け部１２ａに第１の固定具８ａを介して固定する。また留め具１６を前面板一側用の第３の連結受け部１７ａに第３の固定具１６ａを介して固定する。さらに、取付け部材９を前辺部一側用の第２の連結受け部１３ａに第２の固定具９ａを介して固定する。そして、留め具１６と第４の連結受け部１９との間に台枠側ガススプリング１４を介在するものである。
【００３９】
同様に、前後に一対設けられるリンク機構６のうちの後側の仕切側リンク機構６ｂの仕切側連結部材４０を仕切部材一側用の第１の仕切側連結受け部４４に第１の仕切側固定具４０ａを介して固定する。また仕切側留め具４８を仕切部材一側用の第３の仕切側連結受け部４９に第３の仕切側固定具４８ａを介して固定する。さらに、仕切側取付け部材４１を後辺部一側用の第２の仕切側連結受け部４５に第２の仕切側固定具４１ａを介して固定する。そして、仕切側留め具４８と第４の仕切側連結受け部５１との間に仕切側ガススプリング４６を介在するものである。
【００４０】
したがって、天板７は前後に配置されたリンク機構６に支持されて起伏自在に設けられる。さらに、天板７は台枠側ガススプリング１４及び仕切側ガススプリング４６が伸張時には天板７が起きるように付勢して天板７を開いた状態で支持し、一方天板７は台枠側ガススプリング１４及び仕切側ガススプリング４６が縮小時には天板７が伏すように付勢して天板７を閉じた状態を保持する。これは天板７に対する角度が小さくなっており、台枠側ガススプリング１４及び仕切側ガススプリング４６の付勢力が天板７に強く作用せず、それによって天板７は倒伏状態で保持される。
【００４１】
次に図３に示す左側面板２側をヒンジ側として天板７を起こして開く右横開きのベッドの組み立て方について説明する。この場合は前後に一対設けられるリンク機構６のうちの前側の台枠側リンク機構６ａの連結部材８を前面板他側用の第１の連結受け部１２ｂに第１の固定具８ａを介して固定する。また留め具１６を前面板他側用の第３の連結受け部１７ｂに第３の固定具１６ａを介して固定する。さらに、取付け部材９を前辺部他側用の第２の連結受け部１３ｂに第２の固定具９ａを介して固定する。そして、留め具１６と第４の連結受け部１９との間に台枠側ガススプリング１４を介在するものである。
【００４２】
同様に、前後に一対設けられるリンク機構６のうちの後側の仕切側リンク機構６ｂの仕切側連結部材４０を仕切部材他側用の第１の仕切側連結受け部４４に第１の仕切側固定具４０ａを介して固定する。また仕切側留め具４８を仕切部材他側用の第３の仕切側連結受け部４９に第３の仕切側固定具４８ａを介して固定する。さらに、仕切側取付け部材４１を後辺部他側用の第２の仕切側連結受け部４５に第２の仕切側固定具４１ａを介して固定する。そして、仕切側留め具４８と第４の仕切側連結受け部５１との間に仕切側ガススプリング４６を介在するものである。したがって、天板７は前後に配置されたリンク機構６に支持されて起伏自在に設けられる。
【００４３】
次に、本発明のベッドを前面板１側をヒンジ側として天板７を起こして開く縦開きのベッドとして使用する形態について図９及び図１０に示すと、台枠５内部の前面板１と後面板４の間には、左側面板２及び右側面板３と平行に配置された板状の仕切部材６０が配置されており、この仕切部材６０によって台枠５内部の右側面板３側を第１の収納部６１とし、左側面板２を第２の収納部６２として仕切られている。ここで、左側面板２と右側面板３の間隔（Ｓ１）を約１４００ｍｍとした場合に、仕切部材６０と左側面板２の間隔（Ｓ２）をＳ１の約３０〜４０％の大きさである約４００〜６００ｍｍとして設定されている。
【００４４】
ここで仕切部材６０、前面板１、左側面板２及び後面板４によって仕切られた第２の収納部６２の上面は、板状の上面閉塞部材６３によって閉塞されており、この上面閉塞部材６３は仕切部材６０と一体に設けられている。
【００４５】
台枠５の左側面には、それぞれ矩形状に形成された第１の左側面開口部６４と第２の左側面開口部６５、第３の左側面開口部６６が水平方向に並設されており、第２の左側面開口部６５は、第１の左側面開口部６４及び第３の左側面開口部６６よりも幅広に設定されている。
【００４６】
そして、第２の収納部６２は、上面に物品の出し入れを行う開口部を備えた有底箱筒状の第１の引出し体６７、第２の引出し体６８及び第３の引出し体６９をそれぞれ第１の左側面開口部６４、第２の左側面開口部６５及び第３の左側面開口部６６より出し入れ自在に収納するものである。また、第１の左側面開口部６４、第２の左側面開口部６５及び第３の引出し体６６の幅寸法の関係に対応して、第２の引出し体６８は第１の引出し体６７及び第３の引出し体６９よりも幅広に設定されている。さらに、第１の引出し体６７、第２の引出し体６８及び第３の引出し体６９の各前面板７０,７１,７２は、前述の左側面板２を構成するものである。また、仕切部材６０の長手方向の一側（前側）に第１の仕切側連結受け部４４ｃ、第３の仕切側連結受け部４９ｃが設けられている。さらに、後面板４の後面には、フットボード２１を設けている。
【００４７】
次に、図１０に示す前面板１側をヒンジ側として天板７を起こして開く縦開きのベッドの組み立て方について説明する。この場合は左右に一対設けられるリンク機構６のうちの左側の仕切側リンク機構６ｂの仕切側連結部材４０を仕切部材一側用の第１の仕切側連結受け部４４ｃに第１の仕切側固定具４０ａを介して固定する。また仕切側留め具４８を仕切部材一側用の第３の仕切側連結受け部４９ｃに第３の仕切側固定具４８ａを介して固定する。さらに、仕切側取付け部材４１を左側辺部用の第２の仕切側連結受け部４５ｃに第２の仕切側固定具４１ａを介して固定する。そして仕切側留め具４８と第４の仕切側連結受け部５１との間に仕切側ガススプリング４６を介在するものである。
【００４８】
同様に、左右に一対設けられるリンク機構６のうちの右側の台枠側リンク機構６ａの連結部材８を右側面板一側用の第１の連結受け部１２ｄに第１の固定具８ａを介して固定する。また留め具１６を右側面板一側用の第３の連結受け部１７ｄに第３の固定具１６ａを介して固定する。さらに、取付け部材９を右側辺部用の第２の連結受け部１３ｄに第２の固定具９ａを介して固定する。そして、留め具１６と第４の連結受け部１９との間に台枠側ガススプリング１４を介在するものである。したがって、天板７は左右に配置されたリンク機構６に支持されて起伏自在に設けられる。さらに、天板７は台枠側ガススプリング１４が伸張時には天板７が起きるように付勢して天板７を開いた状態で支持し、一方天板７は台枠側ガススプリング１４が縮小時には天板７が伏すように付勢して天板７を閉じた状態を保持する。
【００４９】
図１０に前述の縦開きのベッドの別な使用形態を示すと、台枠５内部の前面板１と後面板４の間には、左側面板２及び右側面板３と平行に配置された板状の仕切部材８０が配置されており、この仕切部材８０によって台枠５内部の右側面板３側を第１の収納部８１とし、左側面板２を第２の収納部８２として仕切られている。ここで、左側面板２と右側面板３の間隔（Ｓ１）を約１４００ｍｍとした場合に、仕切部材８０と右側面板３の間隔（Ｓ２）をＳ１の約３０〜４０％の大きさである約４００〜６００ｍｍとして設定されている。
【００５０】
ここで仕切部材８０、前面板１、右側面板３及び後面板４によって仕切られた第２の収納部８２の上面は、板状の上面閉塞部材８３によって閉塞されており、この上面閉塞部材８３は仕切部材８０と一体に設けられている。
【００５１】
台枠５の右側面全体には、それぞれ矩形状に形成された第１の左側面開口部８４と第２の左側面開口部８５、第３の左側面開口部８６が水平方向に並設されており、第２の左側面開口部８５は、第１の左側面開口部８４及び第３の左側面開口部８６よりも幅広に設定されている。
【００５２】
そして、第２の収納部８２は、上面に物品の出し入れを行う開口部を備えた有底箱筒状の第１の引出し体８７、第２の引出し体８８及び第３の引出し体８９をそれぞれ第１の左側面開口部８４、第２の左側面開口部８５及び第３の左側面開口部８６より出し入れ自在に収納するものである。また、第１の左側面開口部８４、第２の左側面開口部８５及び第３の引出し体８６の幅寸法の関係に対応して、第２の引出し体８８は第１の引出し体８７及び第３の引出し体８９よりも幅広に設定されている。さらに、第１の引出し体８７、第２の引出し体８８及び第３の引出し体８９の各前面板９０,９１,９２は、前述の右側面板３を構成するものである。また、仕切部材６０の長手方向の一側（前側）に第１の仕切側連結受け部４４ｄ、第３の仕切側連結受け部４９ｄが設けられている。
【００５３】
次に、図１１に示す前面板１側をヒンジ側として天板７を起こして開く縦開きのベッドの組み立て方について説明する。この場合は左右に一対設けられるリンク機構６のうちの右側の仕切側リンク機構６ｂの仕切側連結部材４０を仕切部材一側用の第１の仕切側連結受け部４４ｄに第１の仕切側固定具４０ａを介して固定する。また仕切側留め具４８を仕切部材一側用の第３の仕切側連結受け部４９ｄに第３の仕切側固定具４８ａを介して固定する。さらに、仕切側取付け部材４１を左側辺部用の第２の仕切側連結受け部４５ｄに第２の仕切側固定具４１ａを介して固定する。そして仕切側留め具４８と第４の仕切側連結受け部５１との間に仕切側ガススプリング４６を介在するものである。
【００５４】
同様に、左右に一対設けられるリンク機構６のうちの左側の台枠側リンク機構６ａの連結部材８を左側面板一側用の第１の連結受け部１２ｄに第１の固定具８ａを介して固定する。また留め具１６を左側面板一側用の第３の連結受け部１７ｄに第３の固定具１６ａを介して固定する。さらに、取付け部材９を左側辺部用の第２の連結受け部１３ｄに第２の固定具９ａを介して固定する。そして、留め具１６と第４の連結受け部１９との間に台枠側ガススプリング１４を介在するものである。したがって、天板７は左右に配置されたリンク機構６に支持されて起伏自在に設けられる。さらに、天板７は台枠側ガススプリング１４及び仕切側ガススプリング４６が伸張時には天板７が起きるように付勢して天板７を開いた状態で支持し、一方天板７は台枠側ガススプリング１４及び仕切側ガススプリング４６が縮小時には天板７が伏すように付勢して天板７を閉じた状態を保持する。
【００５５】
続いて、リンク機構６の開閉動作について説明する。台枠側リンク機構６ａ及び仕切側リンク機構６ｂは、図４及び図６の状態から天板７が閉じるにつれて収縮する台枠側ガススプリング１４及び仕切側ガススプリング４６が、それぞれ軸１６ｂ及び軸４８ｂを回動軸として、図４及び図６に示す天板７の開き方向（図中左方向）とは反対方向である閉方向（図中右方向）へ回動すると同時に、第１のリンク部材１０、第２のリンク部材１１、第１の仕切側リンク部材４２及び第２の仕切側リンク部材４３もそれぞれ軸１０ａ及び軸４２ａを回動軸として閉方向へ回動していき、天板７は最終的には台枠５上面に当接して、水平方向と平行な状態で保持される（図１２及び図１３参照）。
【００５６】
続いて、台枠側ガススプリング１４の付勢力及び仕切側ガススプリング４６の付勢力の設定方法について説明する。
【００５７】
先ずは図１４に、図２において天板７を閉じた状態の天板７付近の側面図を示すが、ここで、Ｇは天板７の中心に位置する天板７の重心位置、Ｗは天板７の重量、Ｒ１は仕切側取付け部材４１において仕切側ガススプリング４６が天板７から受ける反力、Ｒ２は取付け部材９において台枠側ガススプリング１４が天板７から受ける反力、そして、Ｘは天板７の後辺部７ｂから仕切側取付け部材４１までの距離、Ｙは天板７の前辺部７ａから取付け部材９までの距離とする。
【００５８】
また図１５に、図３において天板７を閉じた状態の天板７付近の側面図を示すが、ここで、Ｇは天板７の中心に位置する天板７の重心位置、Ｗは天板７の重量、Ｒ１は仕切側取付け部材４１において仕切側ガススプリング４６が天板７からの重量Ｗを押し返す反力、Ｒ２は取付け部材９において台枠側ガススプリング１４が天板７から受ける反力、そして、Ｘは天板７の前辺部７ａから仕切側取付け部材４１までの距離、Ｙは天板７の後辺部７ｂから取付け部材９までの距離とする。
【００５９】
さらに図１６に、図１０において天板７を閉じた状態の天板７付近の側面図を示すが、ここで、Ｇは天板７の中心に位置する天板７の重心位置、Ｗは天板７の重量、Ｒ１は仕切側取付け部材４１において仕切側ガススプリング４６が天板７から受ける反力、Ｒ２は取付け部材９において台枠側ガススプリング１４が天板７から受ける反力、そして、Ｘは天板７の左側辺部７ｄから仕切側取付け部材４１までの距離、Ｙは天板７の右側辺部７ｃから取付け部材９までの距離とする。
【００６０】
また図１７に、図１１において天板７を閉じた状態の天板７付近の側面図を示すが、ここで、Ｇは天板７の中心に位置する天板７の重心位置、Ｗは天板７の重量、Ｒ１は仕切側取付け部材４１において仕切側ガススプリング４６が天板７から受ける反力、Ｒ２は取付け部材９において台枠側ガススプリング１４が天板７から受ける反力、そして、Ｘは天板７の右側辺部７ｃから仕切側取付け部材４１までの距離、Ｙは天板７の左側辺部７ｄから取付け部材９までの距離とする。
【００６１】
ここで、図１４乃至図１５における上下方向の力のつりあいにより，数１の式が得られる。
【００６２】
【数１】
2011024818.tif 000003
【００６３】
次に、図１４乃至図１５における取付け部材９付近まわりのモーメントのつりあいにより、数２の式が得られる。
【００６４】
【数２】
2011024818.tif 000004
【００６５】
そして、数１及び数２から、反力Ｒ１および反力Ｒ１はそれぞれ数３及び数４として表される。
【００６６】
【数３】
2011024818.tif 000005
【００６７】
【数４】
2011024818.tif 000006
【００６８】
ここで、図１６乃至図１７における上下方向の力のつりあいにより，以下の数５の式が得られる。
【００６９】
【数５】
2011024818.tif 000007
【００７０】
次に、図１６乃至図１７における取付け部材９付近まわりのモーメントのつりあいにより、以下の数６の式が得られる。
【００７１】
【数６】
2011024818.tif 000008
【００７２】
そして、数５及び数６から、反力Ｒ１および反力Ｒ１はそれぞれ以下の数７及び数８として表される。
【００７３】
【数７】
2011024818.tif 000009
【００７４】
【数８】
2011024818.tif 000010
【００７５】
尚、Ｓ１とＳ２の関係同様に、Ｘ１又はＸ２はそれぞれ、Ｌ又はＢの約３０〜４０％の大きさに設定されており、つまり、Ｘ１＜Ｌ／２,Ｘ２＜Ｂ／２として設定されている。また、図１４乃至図１７に示すように、取付け部材９、つまり台枠側リンク機構６ａは天板７の各辺部７ａ,７ｃ,７ｄに極めて近接して取付けられているため（Ｙ１≒０,Ｙ２≒０）、Ｒ１及びＲ２は下段の数９乃至数１２に言い換え可能である。
【００７６】
【数９】
2011024818.tif 000011
【００７７】
【数１０】
2011024818.tif 000012
【００７８】
【数１１】
2011024818.tif 000013
【００７９】
【数１２】
2011024818.tif 000014
【００８０】
このように、天板７の長さ寸法Ｌ又は幅寸法Ｂ、天板７の重心位置Ｇ、天板７の重量Ｗ、そして距離Ｘ１,Ｘ２が定まると、上述の数９乃至数１２により反力Ｒ１及びＲ２（Ｒ１＞Ｒ２）が算出されるので、仕切側ガススプリング４６の付勢力及び台枠側ガススプリング１４の付勢力がそれぞれ反力Ｒ１及びＲ２と同等かそれ以上となるように、台枠側ガススプリング４６のシリンダ１４ａの直径Ｄ１及びロッド１４ｂの直径Ｄ２および仕切側ガススプリング４６のシリンダ４６ａの直径Ｄ３及びロッド４６ｂの直径Ｄ４の選定が行われ、上述の通り、仕切側ガススプリング４６のシリンダ４６ａの直径Ｄ３及びロッド４６ｂの直径Ｄ４は、それぞれ台枠側ガススプリング４６のシリンダ１４ａの直径Ｄ１及びロッド１４ｂの直径Ｄ２より大きく設定され（Ｄ３＞Ｄ１,Ｄ４＞Ｄ２）、それに伴って、仕切側ガススプリング４６の付勢力（反力Ｒ１）は台枠側ガススプリング１４の付勢力（反力Ｒ２）よりも大きく設定される。
【００８１】
以上のように、前記実施例においては天板７を左横開き、右横開きさらには縦開きに組み立て可能とするベッドであって、四方に配置された前面板１、左右側面板２，３及び後面板４により構成された台枠５と、この台枠５の上面にリンク機構６を介して起伏自在に設けられた天板７と、前面板１、左右側面板２,３及び後面板４のいずれか一方と天板７間に介在させた台枠側付勢手段としての台枠側ガススプリング１４と、台枠５内部において選択された前面板１、左右側面板２,３及び後面板４のいずれか一方と平行に配置され、台枠５内部を第１の収納部３１,６１,８１と第２の収納部３２,６２,８２に仕切る仕切部材３０,６０,８０と、この仕切部材３０,６０,８０と天板７間に介在させた仕切側付勢手段としての仕切側ガススプリング４６とを備え、仕切側ガススプリング４６と台枠側ガススプリング１４に作用する天板７からの圧力Ｗを均等化すべく、天板７から仕切側ガススプリング４６及び台枠側ガススプリング１４にかかる荷重Ｒ１,Ｒ２に応じて、仕切側ガススプリング４６の付勢力および台枠側ガススプリング１４の付勢力を個別に設定したことにより、仕切側ガススプリング４６の付勢力を、台枠側ガススプリング１４の付勢力よりも大きく設定している。
【００８２】
また、四方に配置された前面板１、左右側面板２，３及び後面板４により構成された台枠５と、この台枠５の上面にリンク機構６を介して起伏自在に設けられた天板７とを備え、リンク機構６に備えた台枠側リンク機構６ａは台枠５に連結させる連結部材８と、天板７に連結させる取付け部材９と、連結部材８の長手方向一側と取付け部材９の長手方向一側とを連結する第１のリンク部材１０と、連結部材８の長手方向他側と取付け部材９の長手方向他側とを連結する第２のリンク部材１１を備え、かつ前面板１、左右側面板２，３に連結部材８を選択的に連結する第１の連結受け部１２をそれぞれ設けると共に、天板７の前辺部側、左右側辺部側に取付け部材９を選択的に連結する第２の連結受け部１３をそれぞれ設け、台枠５と天板７間に台枠側付勢手段としての台枠側ガススプリング１４を介在させ、前面板１、左右側面板２，３に、台枠側ガススプリング１４の基端を連結させる留め具１６を選択的に取付ける第３の連結受け部１６をそれぞれ設け、台枠側リンク機構６ａの取付け部材９に台枠側ガススプリング１４の先端１８を連結する第４の台枠側連結受け部１９を設けたベッドであって、台枠５内部には、選択された前記前面板１、左右側面板２,３及び後面板４のいずれか一方と平行に配置され、台枠５内部を第１の収納部３１,６１,８１と第２の収納部３２,６２,８２に仕切る仕切部材３０,６０,８０を備え、リンク機構６に備えた仕切側リンク機構６ｂは仕切部材３０,６０,８０に連結させる仕切側連結部材４０と、天板７に連結させる仕切側取付け部材４１と、仕切側連結部材４０と仕切側取付け部材４１とを連結する仕切側リンク部材４２を備え、かつ仕切部材３０,６０,８０に仕切側連結部材４０を連結する第１の仕切側連結受け部４４を設けると共に、天板７に仕切側取付け部材４１を連結する第２の仕切側連結受け部４５を設け、仕切部材３０,６０,８０と天板７間に仕切側付勢手段としての仕切側ガススプリング４６を介在させ、仕切部材３０,６０,８０に、仕切側ガススプリング４６の基端４７を連結させる仕切側留め具４８を取付ける第３の仕切側連結受け部を設け、リンク機構６の仕切側リンク機構６ｂの仕切側取付け部材４１に仕切側ガススプリング４６の先端５０を連結する第４の仕切側連結受け部５１を設け、仕切側ガススプリング４６と台枠側ガススプリング１４に作用する天板７からの圧力Ｗを均等化すべく、天板７から仕切側ガススプリング４６及び台枠側ガススプリング１４にかかる荷重Ｒ１,Ｒ２に応じて、仕切側ガススプリング４６の付勢力および台枠側ガススプリング１４の付勢力を個別に設定したことにより、仕切側ガススプリング４６の付勢力を、台枠側ガススプリング１４の付勢力よりも大きく設定している。
【００８３】
この場合、第１の連結受け部１２を前面板１、左右側面板２，３のいずれかに固定して、さらに取付け部材９を天板７の前辺部側、左右側辺部側及び後辺部側のいずれかに固定することで、天板７を左横開き、右横開きさらには縦開きのように予め設けられていた第１の連結受け部１２、第２の連結受け部１３、第３の連結受け部１６を利用して簡単に組み立てることを可能としたベッドについて、台枠５内部に複数の収納部を備えることにより、効率的な収納が可能となり、さらに、天板７の重心位置Ｇに近いほど集中する天板７からの荷重に対応させて、天板７の重心位置Ｇに近い側である仕切側ガススプリング４６の付勢力を、天板７の重心位置Ｇから遠い側である台枠側ガススプリング１４の付勢力よりも大きく設定して、各ガススプリング１４,４６の付勢力を調整することにより、仕切側ガススプリング４６の付勢力不足による天板７の重心位置Ｇに近い側を支持する仕切側リンク部材４２付近の落ち込みに伴う天板７の傾きや起伏動作の遅れを防止する。これによって、各ガススプリング１４,４６の取付位置に影響を受けない天板７の滑らかな起伏動作を実現させると共に、リンク機構６及び各ガススプリング１４,４６の消耗を防いで製品寿命の低下も防ぐことが可能となる。
【００８４】
また、第２の収納部３２,６２,８２を、引出し体３６,３７,６７,６８,６９,８７,８８,８９を開口部３４,３５,６４,６５,６６,８４,８５,８６より出し入れ自在に収容する引出し収納部とした。
【００８５】
この場合、引出し体３６,３７,６７,６８,６９,８７,８８,８９を出し入れ自在にする収納部３２,６２,８２を備えることにより、使い勝手のよい効率的な収納が可能となる。
【産業上の利用可能性】
【００８６】
以上のように本発明に係るベッドは、各種の用途に適用できる。例えば、後面板側をヒンジ側として天板を起こして開く縦開きのベッドの組み立てができるように、第１〜３の連結受け部を予め設けておいてもよい。また、前記実施例上のＳ１,Ｓ２の数値及びＳ１とＳ２の比率、反力Ｒ１及びＲ２の比率についても適宜変更可能とする。
【符号の説明】
【００８７】
１  前面板
２，３  左右側面板
４  後面板
５  台枠
６  リンク機構
６ａ  台枠側リンク機構
６ｂ  仕切側リンク機構
７  天板
８  連結部材
９  取付け部材
１０  第１のリンク部材
１１  第２のリンク部材
１２  第１の連結受け部
１３  第２の連結受け部
１４  台枠側ガススプリング（台枠側付勢手段）
１６  留め具
１７  第３の連結受け部
１９  第４の連結受け部
３０,６０,８０  仕切部材
３１  第１の収納部
３２  第２の収納部
３６,３７,６７,６８,６９,８７,８８,８９  引出し体
４０  仕切側連結部材
４１  仕切側取付け部材
４２  第１の仕切側リンク部材
４３  第２の仕切側リンク部材
４４  第１の仕切側連結受け部
４５  第２の仕切側連結受け部
４６  仕切側ガススプリング（仕切側付勢手段）
４８  仕切側留め具
４９  第３の仕切側連結受け部
５１  第４の仕切側連結受け部
Ｒ１,Ｒ２  反力（荷重）
【図１】
2011024818.tif 000015
【図２】
2011024818.tif 000016
【図３】
2011024818.tif 000017
【図４】
2011024818.tif 000018
【図５】
2011024818.tif 000019
【図６】
2011024818.tif 000020
【図７】
2011024818.tif 000021
【図８】
2011024818.tif 000022
【図９】
2011024818.tif 000023
【図１０】
2011024818.tif 000024
【図１１】
2011024818.tif 000025
【図１２】
2011024818.tif 000026
【図１３】
2011024818.tif 000027
【図１４】
2011024818.tif 000028
【図１５】
2011024818.tif 000029
【図１６】
2011024818.tif 000030
【図１７】
2011024818.tif 000031